(57)【特許請求の範囲】
【請求項１】
燃料を貯留した着脱式のカセット燃料供給体に収容された燃料を燃焼させることにより、周囲を照らすかがり火装置であって、
燃料が貯留された着脱式のカセット燃料供給体および着火装置が収容されたケーシングと、
前記燃料を燃焼させて光を発散させる灯火部とを備え、
前記ケーシングは、前記カセット燃料供給体を収容できる有底の第１の円筒体と、
この第１の円筒体の外側に装着され、当該第１の円筒体を内包したときに前記カセット燃料供給体を移動不能に収容する第２の円筒体と、から構成され、
前記灯火部は、前記ケーシングの開口端部に着脱自在に装着されることを特徴とするかがり火装置。
【請求項２】
前記灯火部と前記第１の円筒体との間には、第１の係止手段が構成されているとともに、前記灯火部と前記第２の円筒体との間には第２の係止手段が構成され、これら第１、第２の係止手段により、前記灯火部、前記第１の円筒体および前記第２の円筒体が着脱自在に取り付けられていることを特徴とする請求項１に記載のかがり火装置。
【請求項３】
前記第１の係止手段および前記第２の係止手段は、切欠孔とこの切欠孔に係合する突起とから構成されていることを特徴とする請求項２に記載のかがり火装置。
【請求項４】
前記ケーシングの外周面には、空気取り入れ用の孔が形成されていることを特徴とする請求項１に記載のかがり火装置。
【請求項５】
前記ケーシングには、高さ調整可能な脚部が着脱自在に取り付けられることを特徴とする請求項１に記載のかがり火装置。
【発明の詳細な説明】
【０００１】
【発明の属する技術分野】
本発明は、かがり火装置に関するもので、詳しくは、舞台、あるいは店先などで使用することができるかがり火装置に関するものである。
【０００２】
【従来の技術】
例えば、舞台道具としてかがり火が効果的に用いられている。このようなかがり火は周囲を明るくし、あるいは周囲をほのかに照らすことができ、これを使用することにより、特殊効果を発揮させたり、環境に相応しい雰囲気を醸し出すことができる。また、かがり火をブティックなど商店の店先で用いれば、古風な雰囲気を醸し出すことができ、客寄せを期待することができる。
【０００３】
一般に、このようなかがり火としては、固定設置型のボンベから可燃性ガスを導入管で導いて、ある定められた場所で火をともすかがり火と、卓上などで使用されるカセット式ボンベを用いて持ち運び可能に使用できるトーチ型のかがり火とが知られている。
【０００４】
【発明が解決しようとする課題】
ところで、固定設置型のボンベを用いるかがり火は、ボンベが人の目についてしまうため、美観が求められる場合は特にボンベを人の目につかない場所に置かねばならない。また、配管経路に足を引っかけないように、注意する必要もある。さらに、固定設置型のボンベを用いるかがり火装置は、火をともした状態で他の場所に持ち運ぶことができないため、移動式のかがり火としては使用することができない。
【０００５】
一方、トーチ型のかがり火は、火をともした状態で移動することができるため、その目的で使用することはできるものの、ガスボンベ自体を手でつかむため、美観上好ましいものではなく、例えば、舞台道具として使用する場合は、目的にあった外側の覆いなどを用意しなければならない。
また、固定式のかがり火装置であれ、トーチ型のかがり火装置であれ、従来のかがり火装置では、ガスの吐出口から先に生ガスを噴出させた状態から着火するため、生ガスに着火されない時間が存在し着火作業の度に注意を払う必要もあった。
【０００６】
本発明は、このような実情に鑑み、所定場所に設置した状態で火をともすこともできれば、火の付いた状態で持ち歩くことも可能で、美観的にも好ましく、さらには着火に際して一層安全を確保することができるかがり火装置を提供することを目的としている。
【０００７】
【課題を解するための手段】
上記目的を達成するための本発明は、
燃料を貯留した着脱式のカセット燃料供給体に収容された燃料を燃焼させることにより、周囲を照らすかがり火装置であって、
燃料が貯留された着脱式のカセット燃料供給体および着火装置が収容されたケーシングと、
前記燃料を燃焼させて光を発散させる灯火部とを備え、
前記ケーシングは、前記着脱式のカセット燃料供給体を収容できる有底の第１の円筒体と、
この第１の円筒体の外側に装着され、当該第１の円筒体を内包したときに前記カセット式の燃料供給体を移動不能に収容する第２の円筒体と、から構成され、前記灯火部は、前記ケーシングの開口端部に着脱自在に装着されることを特徴としている。
【０００８】
かかる構成による本発明によれば、カセット燃料供給体がケーシングで覆われるので、外部から目につくことはなく、しかも着火した状態で持ち運ぶこともできる。
また、本発明は、前記灯火部と前記第１の円筒体との間には、第１の係止手段が構成されているとともに、前記灯火部と前記第２の円筒体との間には第２の係止手段が構成され、これら第１、第２の係止手段により、前記灯火部、前記第１の円筒体および前記第２の円筒体が着脱自在に取り付けられていることを特徴としている。
【０００９】
かかる構成によれば、燃料供給体を収容するためのケーシングを容易に構成することができるとともに、収容されたカセットボンベなどの燃料供給体を簡単に取り出すこともできる。
さらに、前記第１の係止手段および前記第２の係止手段は、切欠孔とこの切欠孔に係合する突起とから構成されていることを特徴としている。
【００１０】
これにより、第１の円筒体、第２の円筒体、さらには灯火部を容易に組み付けたり、取り外したりすることができる。
さらに、前記ケーシングの外周面には、空気取り入れ用の孔が形成されていることを特徴とする。
これにより、カセットボンベなどの燃料供給体の周囲が気化熱で冷やされた場合であっても外気を取り入れてその外周面を昇温させることができ、これによりガスなどの吐出量が低下するのを防止できる。
【００１１】
また、前記ケーシングには、高さ調整可能な脚部が着脱自在に取り付けられていることを特徴としている。
これにより、所定の場所に固定設置することもできれば、火をともす高さを自由に調整することもできる。
【００１２】
【発明の実施の形態】
以下、図面を参照しながら、本発明の実施例について説明する。
図１は本発明の一実施例に係るかがり火装置１を横転した状態で示したものである。
このかがり火装置１では、燃料として可燃性ガスが採用され、具体的には、卓上などで使用される汎用のカセット式ボンベが使用されている。燃料供給体としてのこのカセット式ボンベは、金属製で略円筒形に形成されたケーシング２内に収容されている。かがり火装置１は、ケーシング２の頭部側に火をともす灯火部３を有しており、この灯火部３に導かれた可燃性ガスを燃焼させることにより、周囲を明るく照らすことができる。一方、ケーシング２の下端部には、短管４が取り付けられ、この短管４に、他の脚部３０を接続することにより、所定場所に固定設置することができるとともに、灯火部３の地上からの高さが調整できるようになっている。
【００１３】
ケーシング２は、全体として略円筒形を呈しており、２つの部材から構成されている。すなわち、ケーシング２は、図２に示したように、外周面略半部を切除した形状の第１の円筒体５と、この第１の円筒体５の外側に組み付けられる第２の円筒体６とから構成され、第１の円筒体５の切除された周面はカセット式ボンベを操作するための出し入れ口として機能する。
【００１４】
灯火部３は、略中央にフランジ３ａを有し、両側に筒部２３と筒部２４とを有している。このような灯火部３は、両端が開口しており、筒部２３側で可燃性ガスが燃焼され、また、筒部２４側に着火装置１１が収容されている。
灯火部３の可燃性ガスの吐出部は、図３に示したように、図示しないカセット式ボンベに接続されたガス導入管１９と、多数の小孔１４が形成された円盤１２とにより形成されている。この小孔１４から吐出された可燃性ガスに火が着火すると、その火炎は筒部２３の内壁１５に衝突するので、この衝突により、火炎をダイナミックに見せたり、左右にくゆらせながら上昇させることができる。
【００１５】
一方、筒部２４側の着火装置１１は、電磁弁１７を有しており遠隔操作で着火することができる。すなわち、電磁弁１７を作用させると、筒部２３内のプラグ２５から火花を飛ばすことができ、この状態からガスを吐出させれば、ガスを着火することができる。なお、符号１６は空気調整用のチョーク、１８はトランスを示したものである。
【００１６】
さらに、このような筒部２４の内面には、図４に示したように、突起２８が形成され、また外周面に、Ｌ字状の切欠部３９が形成されている。
他方、ケーシング２を構成する第１の円筒体５の外周面には、Ｌ字状の切欠部１０が形成されており、この切欠部１０に、筒部２４の突起２８が係止される。また、第１の円筒体５の他端は、電線を出し入れするための孔８が複数個形成された底板７により閉塞されている。
【００１７】
第２の円筒体６の一方端には、外気を取り入れるための小孔２１が多数形成されている。また、第２の円筒体６の他端は底板２６で閉塞され、この底板２６に、脚部３０を取り付けるための上記短管４が取付られている。
さらに、第２の円筒体６の小孔２１は、ネジ２７が挿通できるようになっている。
【００１８】
このような構成からなるケーシング２では、上記灯火部３の筒部２４に形成された突起２８と、第１の円筒体５の切欠部１０とにより、第１の係止手段が構成されている。そして、突起２８が切欠部１０内に挿入されて、所定角度回動されたときに、互いに外れないように構成されている。また、第２円筒体６の孔２１に挿通されたネジ２７と、灯火部３の切欠部３９とにより、第２の係止手段が構成されている。そして、同様に、ネジ２７が切欠部３９に挿入されて所定角度回動されたときに、第２の円筒体６が筒部２４から外れないように構成されている。
【００１９】
本発明の一実施例に係るかがり火装置１は上記のように構成されているが、以下にその作用について説明する。
先ず、可燃性ガスが充填されたカセット式ボンベは、図２の第１の円筒体５の内方に収容され、この第１円筒体５が灯火部３の筒部２４の内方に組み付けられる。このとき、筒部２４に形成された突起２８が第１円筒体５のＬ字状の切欠部１０内に配置されるように位置合わせを行い、その後、第１円筒体５を相対的に回動させることにより、第１の円筒体５を灯火部３に移動不能に組み付けることができる。次いで、第１円筒体５の外側に第２の円筒体６を装着する。この際、第２円筒体６の小孔２１にネジ２７を予め仮止めしておき、このネジ２７の先端を筒部２４の切欠部３９内に挿通し、所定角度回動させれば、第２円筒体６を筒部２４に移動不能に組み付けることができる。これにより、図１に示したかがり火装置１を構成することができる。これにより、灯火部３と第１円筒体５と第２円筒体６とが互いに組み付けられ、外れることはない。
【００２０】
ガスの着火に際しては、電磁弁１７に接続されたコード３５の途中に設けられた遠隔スイッチを操作すればよい。これにより、プラグ２５から火花をスパークさせることができ、この状態から生ガスを吐出させれば、円盤１２の周囲に導かれたガスに着火することができる。このように、本発明によれば、周囲に、生ガスが漏れ出る前に火花がスパークしているので、安心してガスを燃焼させることができる。さらに、着火により燃え上がる火炎は筒部２３の内周面に衝突し、さらに上方に舞い上がるので、火を大きくみせたり、くゆらせたりすることができる。また、脚部３０を接続していない場合は、着火した状態で持ち運ぶこともできる。
【００２１】
また、固定設置して用いたい場合は、短管４に脚部３０を接続すれば良く、これにより所定場所に固定することができる。よって、本実施例によれば、移動または固定のいずれの方法もとりうることができる。
また、ガスの交換などを行う場合は、最初にネジ２７をゆるめて第２の円筒体６を若干回動させながら、灯火部３と反対側に引き出せば良い。これにより、この状態でカセット式ボンベを新たな物と取り換えることができる。
【００２２】
また、燃料としては、使い捨てのカセット式ガスボンベに限定されず、充填式のボンベを用いて、不足したガスを充填して使用することもできる。
また、燃料を可燃性ガスに代え、アルコールなどの他の燃料を用いることもできる。
【００２３】
【発明の効果】
以上説明したように、本発明に係るかがり火装置によれば、ボンベなどの燃料供給体が外部から露見しないため、美観的に良好である。また、所定場所に固定して用いることもできれば、灯火部を上にして火のついた状態で持ち運ぶこともできる。したがって、舞台装置としての使い勝手も良く、また、店頭において使用する場合も安直に用いることができる。また、遠隔操作で火が着火できるので、安心して着火させることもできる。さらに、灯火部で燃焼する燃料は、周囲の壁面に衝突して上昇するので、例えばカセット式ボンベを用いたかがり火であっても、燃焼ガスをダイナミックに見せることができる。また、ケーシングの外面に多数の小孔が形成されているので、燃料供給体の周りの空気を常時入れ換えることができる。したがって、気化熱のため、ボンベなどの燃料供給体の周囲が冷やされて、この燃料供給体から供給される燃料が少なくなる傾向があっても、取り入れる外部空気が燃料供給体を昇温するので、例え可燃性ガスを燃料とした場合であっても、ガスの出が少なくなることはない。
【図面の簡単な説明】
【図１】本発明の一実施例に係るかがり火装置の斜視図である。
【図２】同実施例のかがり火装置を分解して示す斜視図である。
【図３】同かがり火装置の燃焼室近傍の一部破断斜視図である。
【図４】同実施例における灯火部の背面側斜視図である。
【符号の説明】
１      かがり火装置
２      ケーシング
３      灯火部
５      第１の円筒体
６      第２の円筒体
１０    切欠部
２１    小孔
２７    ネジ
２８    突起
３９    切欠部
【図１】
0004271321.tif 000002
【図２】
0004271321.tif 000003
【図３】
0004271321.tif 000004
【図４】
0004271321.tif 000005